(57)【要約】【課題】タワークレーンを使用せずに、外部垂直養生ユニットを吊り上げる方法を提供することである。【解決手段】外部垂直養生ユニットの吊り上げ方法は、養生ユニット１を横方向に連続的に接合して形成した外部垂直養生ユニットＡを、掛止装置５でバルコニーに取り付けて上部躯体１８を覆い、これらの養生ユニット１は側面の雌ガイド６ａと、この雌ガイド６ａにスライド自在に嵌合された雄ガイド６ｂとにより上下動自在であり、前記一つの養生ユニット１を昇降装置１９でわずかに吊り上げた後、前記掛止装置５をバルコニーから取り外して養生ユニット１の裏面側に回転させた後、養生ユニット１を前記昇降装置１９で吊り上げることである。【選択図】    図１
2004257165.tif 000002
【特許請求の範囲】
【請求項１】
養生ユニットを横方向に連続的に接合して形成した外部垂直養生ユニットを、掛止装置でバルコニーに取り付けて上部躯体を覆い、これらの養生ユニットは側面の雌ガイドと、この雌ガイドにスライド自在に嵌合された雄ガイドとにより上下動自在であり、前記一つの養生ユニットを昇降装置でわずかに吊り上げた後、前記掛止装置をバルコニーから取り外して養生ユニットの裏面側に回転させた後、養生ユニットを前記昇降装置で吊り上げることを特徴とする外部垂直養生ユニットの吊り上げ方法。
【請求項２】
養生ユニットは雌ガイドと雄ガイドを中心に回転自在であることを特徴とする請求項１に記載の外部垂直養生ユニットの吊り上げ方法。
【発明の詳細な説明】
【０００１】
【発明の属する技術分野】
本発明は外部垂直養生ユニットの吊り上げ方法に関するものである。
【０００２】
【従来の技術】
建物の構築においては上部躯体を外部垂直養生ユニットで養生することが行われている。この外部垂直養生ユニットとして、例えば特開２００２−２１３３６号公報の発明が知られている。この外部垂直養生ユニット２５を上部躯体２６の立ち上がりに伴って引き上げるには、一般的に、図１２に示すように、タワークレーン２７で吊り上げていた。
【０００３】
【特許文献１】
特開平２００２−２１３３６号公報（図１）
【０００４】
【発明が解決しようとする課題】
しかし、上記の外部垂直養生ユニットのタワークレーンによる吊り上げには下記のような問題があった。
（１）強風の場合には吊り上げ作業ができなかった
（２）吊り上げには１工区あたり半日かかるため、タワークレーンを本来の躯体構築用に使用できなかった
【０００５】
本発明はこれらの問題に鑑みてなされたものであり、その目的はタワークレーンを使用せずに、外部垂直養生ユニットを吊り上げる方法を提供することである。
【０００６】
【課題を解決するための手段】
以上の課題を解決するための外部垂直養生ユニットの吊り上げ方法は、養生ユニットを横方向に連続的に接合して形成した外部垂直養生ユニットを、掛止装置でバルコニーに取り付けて上部躯体を覆い、これらの養生ユニットは側面の雌ガイドと、この雌ガイドにスライド自在に嵌合された雄ガイドとにより上下動自在であり、前記一つの養生ユニットを昇降装置でわずかに吊り上げた後、前記掛止装置をバルコニーから取り外して養生ユニットの裏面側に回転させた後、養生ユニットを前記昇降装置で吊り上げる構成である。また養生ユニットは雌ガイドと雄ガイドを中心に回転自在であることを含むものである。
【０００７】
一つの養生ユニットを昇降装置で１階分吊り上げて掛止装置でバルコニーに取り付けた後、この上側のユニットの一方側または両側の養生ユニットを吊り上げる。そして、この作業を順次繰り返すことにより、すべての養生ユニットを１階分吊り上げて掛止装置によってバルコニーに取り付ける。したがって、タワークレーンを使用せずに、外部垂直養生ユニットを上部躯体の立ち上げに伴って上階に移動させることができる。
【０００８】
【発明の実施の形態】
以下、本発明の外部垂直養生ユニットの吊り上げ方法の実施の形態を図面に基づいて詳細に説明する。はじめに外部垂直養生ユニットについて説明し、次いで、その吊り上げ方法について説明するが、各実施の形態において同じ構成は同じ符号を付して説明し、異なる構成は異なった符号を付して説明する。
【０００９】
外部垂直養生ユニットＡは、図１に示すように、養生ユニット１が横方向に連続的に接合して構成されている。この外部垂直養生ユニットＡを構成する養生ユニット１は枠体２の前面に養生ネット３が張られて構成され、枠体の縦パイプ４に掛止装置５が取り付けられるとともに、枠体２の一側面には雌ガイド６ａが、他側面には雄ガイド６ｂがそれぞれ設けられている。この雌６ａガイドは、図２に示すように、一部が解放された平面円形のガイドレールであり、隣接した養生ネット１の雄ガイド６ｂがスライド自在に嵌合されている。したがって、これら雌ガイド６ａと雄ガイド６ｂとによって養生ユニット１が上下動でき、かつ雌ガイド６ａと雄ガイド６ｂとを中心に養生ネット１が回転できるようになっている（図２の（２）参照）。
【００１０】
また図３は養生ネット１同士の角部の接合を示したものであり、養生ネット１に対して９０度の方向に解放部６ｃを向けて取り付けられた雌ガイド６ａに、隣接した養生ネット１の雄ガイド６ｂが嵌合されて形成されている。また雄ガイド６ｂ側の養生ネットは、自在に回転できるため、任意の角度に設定でき、この角度を雌ガイド６ａの締付具６ｄで固定できるようになっている。なお、この回転は雄ガイド６ｂ側の養生ネット１だけではなく、雌ガイド６ａ側の養生ネット１もできる。
【００１１】
また掛止装置５は、図４に示すように、水平材７と斜材８と縦材９とで組み立てられた三角形の組立材１０がクランプ１１で縦パイプ４に取り付けられ、前記クランプ１１のブラケット１２に組立材１０のブラケット１２がはめ込まれてボルト１３で接合され、このボルト１３を中心にして組立材１０が回転できるようになっている。
【００１２】
また水平材７には二枚の縦板１４でバルコニーの突起部１５を挟み込む嵌め込み部１６が形成され、前側の縦板１４と水平材７とに押さえネジ１７が取り付けれている。
【００１３】
したがって、バルコニーの突起部１５に嵌め込み部１６を嵌め込んで、押さえネジ１７で押さえることにより、組立材１０がバルコニーに取り付けられ、押さえネジ１７を緩めて嵌め込み部１６を突起部１５から引き抜くことにより、組立材１０がボルト１３を中心に回転できるようになっている。
【００１４】
次に、外部垂直養生ユニットの吊り上げ方法を説明する。はじめに、図５および図６に示すように、バルコニーの突起部１５に掛止装置５を嵌め込んで上部躯体１８の下部を外部垂直養生ユニットＡで覆う。この外部垂直養生ユニットＡは、図２に示すように、養生ユニット１が雌ガイド６ａおよび雄ガイド６ｂで横方向に連続的に接合して構成されている。したがって、各養生ユニット１は、これらの雌ガイド６ａと雄ガイド６ｂとで上下方向に移動自在となっている。
【００１５】
次に、上部躯体１８の最上階である４階の工事が終了した後、図５に示すように、養生ユニット１の下部に昇降装置１９からのワイヤー２０を取り付ける。この昇降装置１９は支保工が乱立している間を移動できるように、台車２１に乗せた小型のものであり、養生ユニット１の両側に２台設置される。そして、この２台の昇降装置１９を順次転用しながら使用する。
【００１６】
そして、図１０に示すように、押さえネジ１７を緩めて養生ユニット１を昇降装置１９でわずかに吊り上げると、バルコニーの突起部１５から嵌め込み部１６が外れ、組立材１０がボルト１３を中心に回転できるようになる。次に、この組立材１０をボルト１３を中心に回転させて、養生ネット３の裏側に折り畳む。
【００１７】
次に、昇降装置１９で養生ユニット１を吊り上げると、図１１に示すように、両側の雌ガイド６ａおよび雄ガイド６ｂとよって上側に１階分移動する。そして、組立材１０を前記とは反対方向に回転させて、４階のバルコニーの突起部１５に取り付けて、押さえネジ１７で固定すると、養生ユニット１が４階のバルコニーに取り付けられる。
【００１８】
次に、上側に移動した養生ユニット１の右隣りの養生ユニット１を、前記と同様の方法で１階分吊り上げる。そして、この作業を順次繰り返すことにより、すべての養生ユニット１が１階分吊り上げられて、５階の躯体を外部垂直養生ユニットＡで覆い、そのフロアー２２での工事が可能になる。
【００１９】
なお、この養生ユニット１の吊り上げは、時計と反対回りに順次吊り上げていたが、最初の養生ユニット１の両側の養生ユニット１、すなわち養生ユニット１を２枚同時に吊り上げることもできる。
【００２０】
この養生ユニット１は、どの箇所でも簡単に吊り上げることができるので、部分的に養生を必要とする箇所の養生ユニットを吊り上げて、その箇所の工事を先行させて行うこともできる。
【００２１】
【発明の効果】
タワークレーンを使用せずに、簡単な方法で外部垂直養生ユニットを吊り上げることができる。また外部垂直養生ユニットは建物のコーナー部においては９０度だけではなく、建物の形状に応じて自由な角度に設定することができる。
【図面の簡単な説明】
【図１】養生ユニットの正面図である。
【図２】養生ユニット同士の接合部であり、（１）は回転しない場合の平面図、（２）は回転した場合の平面図である。
【図３】養生ユニットの角部の接合部の平面図である。
【図４】掛止装置であり、（１）は正面図、（２）は平面図である。
【図５】養生ユニットをバルコニーに取り付けた上部躯体の縦方向の断面図である。
【図６】養生ユニットをバルコニーに取り付けた上部躯体の横方向の断面図である。
【図７】バルコニーに取り付けた掛止装置であり、（１）は正面図、（２）は平面図である。
【図８】養生ユニットで覆った上部躯体の断面図である。
【図９】昇降装置であり、（１）は正面図、（２）は平面図である。
【図１０】掛止装置をバルコニーから取り外した図であり、（１）は正面図、（２）は平面図である。
【図１１】養生ユニットの吊り上げ方法を示す正面図である。
【図１２】従来の養生装置の吊り上げ方法を示す断面図である。
【符号の説明】
Ａ、２５  外部垂直養生ユニット
１  養生ユニット
２  枠体
３  養生ネット
４  縦パイプ
５  掛止装置
６ａ  雌ガイド
６ｂ  雄ガイド
６ｂ  開放部
６ｃ  締付具
７  水平材
８  斜材
９  縦材
１０  組立材
１１  クランプ
１２  ブラケット
１３  ボルト
１４  縦板
１５  突起部
１６  嵌め込み部
１７  押さえネジ
１８、２６  上部躯体
１９  昇降装置
２０  ワイヤー
２２  ５階のフロア
２７  タワークレーン
【図１】
2004257165.tif 000003
【図２】
2004257165.tif 000004
【図３】
2004257165.tif 000005
【図４】
2004257165.tif 000006
【図５】
2004257165.tif 000007
【図６】
2004257165.tif 000008
【図７】
2004257165.tif 000009
【図８】
2004257165.tif 000010
【図９】
2004257165.tif 000011
【図１０】
2004257165.tif 000012
【図１１】
2004257165.tif 000013
【図１２】
2004257165.tif 000014